(57)【特許請求の範囲】
【請求項１】
中空体の一部を切除して開口（３）すると共に、該中空体の壁面にハンドル操作窓（４）を有する容器本体（１）と、
上部を上記容器本体開口（３）から突出させて、容器本体内へ回動不能に、かつ強制抜出し可能に嵌合させると共に、下面を閉塞する底板（１２）に開口部（１３）を形成した上面開口の収納筒（１０）と、
上記収納筒内へ上下動可能に、かつ回動不能に嵌合させた受皿（２１）下面から雌ねじ筒（２３）を垂下する受皿部材（２０）と、
上記雌ねじ筒（２３）内面へ筒上部を螺嵌合させた雄ねじ筒（３１）の下部を大外径化させて筒状ハンドルに形成し、該ハンドル外面一部を上記ハンドル操作窓（４）内へ露出させた雄ねじ筒部材（３０）と、
上記容器本体開口（３）の上方を覆う頂板（４１）の両側から上記中空体壁面に沿って脚板（４２）を垂下し、これ等脚板の一方ないし双方の下端部と中空体壁面とを枢着させた回動蓋部材（４０）とからなり、
上記容器本体（１）を、短円筒の前後両面を円形壁（２）で閉塞する中空円盤形状となし、
上記容器本体の前後両円形壁（２）間内へ左右一対の垂下壁（５）を嵌合固着させると共に、前後両円形壁の内面にリブ（６）を縦設して、これら垂下壁とリブとの内面が囲む空間内へ上記収納筒（１０）を強制抜出し可能に嵌合させ、
上記雄ねじ筒部材（３０）の筒状ハンドルを、雄ねじ筒下部を大外径化して形成した大外径部（３２）と、上記ハンドル操作窓（４）内に外面一部を周方向へ回動自在に、かつ抜出し不能に嵌合させた筒体（３５）とで構成し、
該筒体の底壁から嵌合筒(３９)を起立して、該嵌合筒外面と前記筒体内面との環状間隙内へ上記大外径部（３２）を回動不能に、かつ強制離脱可能に嵌合させ、
前記回動蓋部材を回動させて上記容器本体を開口させた状態で、上記筒状ハンドルの正逆回動操作により受皿部材（２０）が上下動可能に形成したことを特徴とする固形化粧料等繰出し容器。
【請求項２】
前記中空円盤形状の頂部を切除して開口（３）すると共に、上記両円形壁（２）下部に前記ハンドル操作窓（４）を形成し、また、上記回動蓋部材（４０）の頂板（４１）を円弧状に形成して、該円弧状頂板の前後両側から円形壁外面に沿って脚板（４２）を垂下させたことを特徴とする請求項１記載の固形化粧料等繰出し容器。
【請求項３】
前記筒体の一部を容器本体へ破断可能に接着して、該接着部を無断開口防止部としたことを特徴とする請求項１又は２記載の固形化粧料等繰出し容器。
【発明の詳細な説明】
【０００１】
【発明の属する技術分野】
本発明は固形化粧料等の繰出し容器に関する。
【０００２】
【従来の技術】
例えば、実開昭６３−９５５１８号等が示すように、下部が形成する摘み筒部を除く上方筒部分を収納筒部となし、該収納筒部に複数の割溝を縦設する主筒と、収納筒部外面へ回動可能に嵌合された、内面に複数条の螺溝を有する螺筒と、収納筒部内面に上下動可能に嵌合され、かつ外面から突出した係合ピンを割溝に上下動自在に挿通させて該ピン先端を螺溝内に係合させた固形化粧料保持筒とからなる固形化粧料繰出し容器が知られている。
【０００３】
【発明が解決しようとする課題】
上記公知例では、化粧料を使いきった場合には容器ごと廃棄するほかなかった。
また、キャップと容器本体とが別体であるため、キャップを紛失するおそれがあった。
さらに、無断開口防止の手段が採られていなかった。
さらにまた、新発売の商品に対しては新しいタイプの繰出し容器が適することはいうまでもない。
本発明は塗布用の固形化粧料等の繰出し容器として、化粧料等が収納された収納筒が交換可能で、かつ外形が斬新で使い勝手のよい容器を提供するものである。
【０００４】
【課題を解決するための手段】
本発明は、中空体の一部を切除して開口３すると共に、該中空体の壁面にハンドル操作窓４を有する容器本体１と、
上部を上記容器本体開口３から突出させて、容器本体内へ回動不能に、かつ強制抜出し可能に嵌合させると共に、下面を閉塞する底板１２に開口部１３を形成した上面開口の収納筒１０と、
上記収納筒内へ上下動可能に、かつ回動不能に嵌合させた受皿２１下面から雌ねじ筒２３を垂下する受皿部材２０と、
上記雌ねじ筒２３内面へ筒上部を螺嵌合させた雄ねじ筒３１の下部を大外径化させて筒状ハンドルに形成し、該ハンドル外面一部を上記ハンドル操作窓４内へ露出させた雄ねじ筒部材３０と、
上記容器本体開口３の上方を覆う頂板４１の両側から上記中空体壁面に沿って脚板４２を垂下し、これ等脚板の一方ないし双方の下端部と中空体壁面とを枢着させた回動蓋部材４０とからなり、
上記容器本体１を、短円筒の前後両面を円形壁（２）で閉塞する中空円盤形状となし、
上記容器本体の前後両円形壁２間内へ左右一対の垂下壁５を嵌合固着させると共に、前後両円形壁の内面にリブ６を縦設して、これら垂下壁とリブとの内面が囲む空間内へ上記収納筒１０を強制抜出し可能に嵌合させ、
上記雄ねじ筒部材３０の筒状ハンドルを、雄ねじ筒下部を大外径化して形成した大外径部３２と、上記ハンドル操作窓４内に外面一部を周方向へ回動自在に、かつ抜出し不能に嵌合させた筒体３５とで構成し、
該筒体の底壁から嵌合筒３９を起立して、該嵌合筒外面と前記筒体内面との環状間隙内へ上記大外径部３２を回動不能に、かつ強制離脱可能に嵌合させ、
前記回動蓋部材を回動させて上記容器本体を開口させた状態で、上記筒状ハンドルの正逆回動操作により受皿部材２０が上下動可能に形成したことを特徴とする。
【０００５】
また、本発明は、前記中空円盤形状の頂部を切除して開口３すると共に、上記両円形壁２下部に前記ハンドル操作窓４を形成し、また、上記回動蓋部材４０の頂板４１を円弧状に形成して、該円弧状頂板の前後両側から円形壁外面に沿って脚板４２を垂下させたことを特徴とする。
【０００６】
さらに、本発明は、前記筒体の一部を容器本体へ破断可能に接着して、該接着部を無断開口防止部としたことを特徴とする。
【０００８】
【発明の実施の形態】
以下、本発明に係る固形化粧料等繰出し容器の実施の形態について説明する。
１は容器本体で、短円筒の前後両面を円形壁２で閉塞して中空円盤に形成すると共に、該中空円盤上端部の左右方向中間部を切除して開口３する。また、両円形壁２下端部の左右方向中間部にハンドル操作窓４を穿設する。
【０００９】
さらに、開口３の左右両端に位置させて両円形壁２間内へ左右一対の垂下壁５を嵌合固着させると共に、両円形壁２の内面に複数のリブ６を縦設する。そして、これら垂下壁５とリブ６とのそれぞれの下端部内面に上向き段部７を形成する。
【００１０】
１０は収納筒で、上端部を除く筒部分を垂下壁５とリブ６との内面が形成する空間内へ凹凸の係合手段を介して回動不能に、かつ強制抜出し可能に嵌合させる。その際、筒外周面に形成した下向き段部１１を上向き段部７へ載置させる。一方、筒上端部は開口３内へ突出させる。
【００１１】
また、筒下面を閉塞する底板１２の左右方向中間部に開口部１３を形成して、該開口部の周面を上向き段部に形成する。この収納筒１０内には固形化粧料等１４を収納すると共に、該筒上端部へはキャップ１５の内外二重周壁間の間隙を着脱自在に嵌合させる。
【００１２】
２０は受皿部材で、収納筒１０の上半部内へ嵌合させた受皿２１の周縁から起立する案内短筒２２の外周面に図示しない複数の突条を縦設すると共に、収納筒１０の内周面に図示しない複数の凹溝を縦設して、突条を凹溝へ上下動自在に嵌合させることにより受皿２１を収納筒１０に対して上下動可能、かつ回動不能にする。
【００１３】
また、受皿２１下面の左右方向中間部から長さが異なる内外二重筒を垂下する。そして、外筒を雌ねじ筒２３に形成して、該筒下端を開口部１３周面の上向き段部へ載置させると共に、内筒は外筒よりも短い嵌合用の短筒２４に形成する。
【００１４】
３０は雄ねじ筒部材で、雌ねじ筒２３内面へ雄ねじ筒３１を螺嵌合させると共に、該雄ねじ筒上端部を短筒２４外面へ上下動自在かつ回動自在に嵌合させる。また、雌ねじ筒２３下端から突出する雄ねじ筒３１部分の上端部を除く部分を大外径化して大外径部３２に形成する。さらに、該大外径部よりも上方の雄ねじ筒３１部分の下端部内面へ補強筒３３を嵌合させ、かつ該筒下端面を閉塞する閉塞板３４の周縁を大外径部３２の上端内面へ嵌合させる。
【００１５】
一方、下面を底壁で閉塞した上面開口の筒体３５の周壁３６上端部外面を上向き段部３７を介して小外径部に形成して、上向き段部３７をハンドル操作窓４の上面に、かつ筒体底壁の外周部を下面に、それぞれ周方向へ回動自在に係合させて、筒体周壁外面の一部をハンドル操作窓４内へ露出させる。
【００１６】
また、筒体３５底壁の中央部から嵌合筒３９を起立して、該嵌合筒と周壁３６との環状間隙内に大外径部３２を回動不能に、かつ強制離脱可能に嵌合させる。
なお、筒体３５の底壁に左右方向への突条３５ａを形成し、かつ該突条下端を容器本体の底部へ超音波等を用いて接着して、該接着部を破断可能な無断開口防止部とする。
【００１７】
４０は回動蓋部材で、容器本体開口３の上方を覆う円弧状の頂板４１の前後両側から円形壁２外面に沿って扇形状の脚板４２を垂下させ、これら両脚板のうちどちらか一方の下端部を回動軸４３を介して円形壁２の中央部へ回動自在に枢着させる。頂板４１は円弧状であり、かつ容器本体は円盤状であるから、頂板は容器本体の全周面沿いに回動自在であるが、頂板４１は容器本体開口３を開口または閉塞させるに足りる範囲内で回動可能であればよい。
【００１８】
そこで、容器本体の周面に、上記範囲を超える頂板４１の回動を阻止するための第１突部４４を形成すると共に、開口３を閉塞するに際して、頂板４１が開口３を通り過ぎないように回動阻止するための第２突部４５を形成する。また、開口３と第１突部４４との間の容器本体周面の前後方向中間部に、周方向に間隔をおいて多数の係合突部４６を形成すると共に、頂板４１の裏面に係合突部４６へ着脱自在に係合可能な凹部４７を多数形成する。
【００１９】
これら係合突部４６と凹部４７とは頂板４１を閉位置に保持させるためのものである。
なお、図面では容器本体は開口３を除く全周が円弧状に形成されているが、これに限らず頂板４１の上記回動範囲のみ円弧状にすれば足り、それ以外の部分は任意の形状にすることができる。
【００２０】
次に本実施形態の作用について説明する。
使用するには、図１に示すように、回動蓋部材４０を開方向へ回動させて頂板４１の右端を第１突部４４へ当接させることにより回動蓋部材を開口３の右方へ位置させる。次いで、キャップ１５を収納筒１０から離脱させた後、筒体３５を容器本体底部との接着力に抗して回動させる。
【００２１】
すると、筒体３５との接着部が破断するため、筒体のさらなる回動が可能となる。これによって雄ねじ筒３１が回動して雌ねじ筒２３が上昇し、これと共に受皿２１が上昇して化粧料等１４が収納筒１０上端から上方へ突出する。
【００２２】
使用後は筒体３５を上記と反対方向へ回動させて受皿２１を下降させることにより化粧料等１４を収納筒１０内へ収納させる。次いで、収納筒１０へキャップ１５を嵌合させた後、回動蓋部材４０を閉方向へ回動させて、頂板４１の左端を第２突部４５へ当接させることにより開口３を閉塞させる。
化粧料等を使いきった場合には、収納筒１０を持ち上げて容器本体から取り出した後、図３に示すように新しい収納筒を容器本体内へ嵌合させる。
【００２３】
【発明の効果】
本発明は、固形化粧料等が収納された収納筒を容器本体内へ強制抜出し可能に嵌合させているので、化粧料等を使いきった後は容器本体から収納筒を取り出して、新しい収納筒を容器本体内へ嵌合させることが可能であり、言い換えれば収納筒が交換可能であるから、容器本体を繰り返し再使用することができる。また、回動蓋部材を容器本体へ枢着させているから、同蓋部材を紛失するおそれがない。さらに、容器本体と収納筒とは別体であるから、容器本体外形の選択の自由度が大きい。
【００２４】
また、本発明は、容器本体を円盤形状にすると共に、回動蓋部材の頂板を円弧状に形成したので、回動蓋部材の回動が円滑に行える。
【００２５】
さらに、本発明は、垂下壁とリブとの内面が囲む空間内へ収納筒を嵌合させたので、交換に際しての収納筒の出し入れ時の摩擦抵抗を比較的小さくすることができる。
【００２６】
さらに、本発明は、筒体を容器本体底部へ破断可能に接着させたので、無断開口防止が図れる。
【図面の簡単な説明】
【図１】本発明に係る固形化粧料等繰出し容器の開蓋状態を前方から見た半断面図。
【図２】同じく、閉蓋状態を左右方向から見た断面図。
【図３】同じく、収納筒の交換時の状態を示す説明図。
【符号の説明】
１  容器本体
２  円形壁
３  開口
４  ハンドル操作窓
５  垂下壁
６  リブ
１０  収納筒
１２  底板
１３  開口部
１４  化粧料等
２０  受皿部材
２１  受皿
２３  雌ねじ筒
３０  雄ねじ筒部材
３１  雄ねじ筒
３２  大外径部
３５  筒体
４０  回動蓋部材
４１  頂板
４２  脚板
【図１】
0004737484.tif 000002
【図２】
0004737484.tif 000003
【図３】
0004737484.tif 000004